(57)【要約】      （修正有）【課題】椅子としての美観を損なうことなく、座部及び背もたれ部を椅子本体に容易に着脱できる椅子を提供する。【解決手段】椅子本体１に座席部６及び背もたれ部７を保持する座席装着部２及び背もたれ装着部３が形成され、座席部６と背もたれ部７を座席装着部２及び背もたれ装着部３に着脱可能に保持している。背もたれ装着部３のフレーム枠３ａの内周縁に形成した段部３ｂには、背もたれ部７の外周縁を落とし込み状に嵌合して装着されるとともに、座席装着部２のフレーム枠２ａの内周縁に形成した段部２ｂには、座席部６の外縁側を落とし込み状に嵌合して装着され、背もたれ部７の上端側とフレーム枠３ａの内周縁のいずれか一方には係合突起１０が設けられ、他方には係合突起１０に対応する位置に嵌挿凹所が形成され、この嵌挿凹所に係合突起１０を嵌挿することにより背もたれ部７の上端側が保持され、背もたれ部７の下端側はフレーム枠３ａの段部３ｂに装着される。【選択図】図１
0003204760.tif 000002
【実用新案登録請求の範囲】
【請求項１】
椅子本体に座席部及び背もたれ部を保持する座席装着部及び背もたれ装着部が形成され、前記座席部と前記背もたれ部を前記座席装着部及び前記背もたれ装着部に着脱可能に保持した椅子であって、
前記背もたれ装着部のフレーム枠の内周縁に形成した段部には、前記背もたれ部の外周縁を落とし込み状に嵌合して装着されるとともに、前記座席装着部のフレーム枠の内周縁に形成した段部には、前記座席部の外縁側を落とし込み状に嵌合して装着され、
前記背もたれ部の上端側と前記フレーム枠の内周縁のいずれか一方には係合突起が設けられ、他方には前記係合突起に対応する位置に嵌挿凹所が形成され、この嵌挿凹所に前記係合突起を嵌挿することにより前記背もたれ部の上端側が保持され、
前記背もたれ部の下端側は固定機構によって前記フレーム枠の段部に装着された椅子。
【請求項２】
背もたれ部の下端側を固定する固定機構は、前記背もたれ部の下端側を座席部の後端に当接され、座席装着部に前記座席部を嵌合して装着した状態で、背もたれ部の下端側が前記座席部の後端と背もたれ装着部に形成された段部との間に狭持して固定するように構成された請求項１に記載の椅子。
【請求項３】
背もたれ部の下端側を固定する固定機構は、前記背もたれ部の下端側と背もたれ装着部のフレーム枠との間に設けられた固定具によって構成された請求項１に記載の椅子。
【考案の詳細な説明】
【技術分野】
【０００１】  本考案は、座部及び背もたれ部が椅子本体に着脱自在に装着された椅子に関し、詳しくは、背もたれ部を椅子本体に固定する機構を設けた椅子に関する。
【背景技術】
【０００２】  一般に使用されている椅子として、例えば、布張りクッションを用いた椅子は、表面のカバー（布張り地）が汚れ易くかつ摩耗や破れを生じ易いため、それらのクリーニングおよびメンテナンスを可能にすることが望まれている。また、椅子のカバーを取り替えることにより気分転換を図ったり、装飾性を高めたり、ファション性を高めることが望まれている。さらには、クッションの交換で硬さを調節したり、弾力性を復元させたりして座り心地やデザインをアップグレードまたは変化させることも望まれている。【０００３】  これらの要望を実現するために、従来から、特開２００７−１１７６００号公報（特許文献１）、特開２０００−１０６９７３号公報（特許文献２）などに開示されているように、背もたれを着脱可能とした椅子が提案されている。
【先行技術文献】
【特許文献】
【０００４】
【特許文献１】特開２００７−１１７６００号公報
【特許文献２】特開２０００−１０６９７３号公報
【考案の概要】
【考案が解決しようとする課題】
【０００５】  上記特許文献１及び２に示された椅子は、背もたれを着脱可能に構成することでクリーニングおよびメンテナンスを可能にすること、或いは、装飾性やファション性を高めるといった要望に対応することは可能となった。この特許文献１及び２に示された椅子は、背もたれを装着するために、椅子本体に形成した凹部に背もたれを嵌め込み、凹部の背板に背もたれをビスにより固定している。このように構成すると、背もたれの裏面が凹部の背板によって隠蔽される。これにより、背もたれを交換することによって装飾性やファション性は高められるが、裏面は隠蔽されるため、装飾性やファション性が阻害されてしまうといった問題が生ずる。また、背もたれの裏面側も、搬送時或いは整列時に他の椅子や什器等が衝突して損傷することがあり、さらに、汚染することが多々ある。しかし、凹部の背板は交換ができないことから、椅子としての美観を失い、大きな損失を被る問題があった。【０００６】  本考案が解決しようとする課題は、椅子としての美観を損なうことなく、座部及び背もたれ部を椅子本体に容易に着脱できる椅子を提供することにある。
【課題を解決するための手段】
【０００７】  そこで、本考案による椅子は、椅子本体に座席部及び背もたれ部を保持する座席装着部及び背もたれ装着部が形成され、前記座席部と前記背もたれ部を前記座席装着部及び前記背もたれ装着部に着脱可能に保持した椅子であって、前記背もたれ装着部のフレーム枠の内周縁に形成した段部には、前記背もたれ部の外周縁を落とし込み状に嵌合して装着されるとともに、前記座席装着部のフレーム枠の内周縁に形成した段部には、前記座席部の外縁側を落とし込み状に嵌合して装着され、前記背もたれ部の上端側と前記フレーム枠の内周縁のいずれか一方には係合突起が設けられ、他方には前記係合突起に対応する位置に嵌挿凹所が形成され、この嵌挿凹所に前記係合突起を嵌挿することにより前記背もたれ部の上端側が保持され、前記背もたれ部の下端側は固定機構によって前記フレーム枠の段部に装着されるように構成したことを要旨としている。【０００８】  また、背もたれ部の下端側を固定する固定機構は、前記背もたれ部の下端側を座席部の後端に当接され、座席装着部に前記座席部を嵌合して装着した状態で、背もたれ部の下端側が前記座席部の後端と背もたれ装着部に形成された段部との間に狭持して固定するように構成される。【０００９】  さらに、背もたれ部の下端側を固定する固定機構は、前記背もたれ部の下端側と背もたれ装着部のフレーム枠との間に設けられた固定具によって構成される。
【考案の効果】
【００１０】  本考案による椅子によれば、背もたれ部の上端側とフレーム枠の内周縁のいずれか一方に係合突起を設け、他方に係合突起に対応する位置に嵌挿凹所を形成しているので、嵌挿凹所に係合突起を嵌挿することにより、背もたれ部の上端側を確実に保持することができる。さらに、上端側を保持した背もたれ部の下端側を固定機構によってフレーム枠の固定することにより、背もたれ部を容易に着脱することが可能となる。このように、背もたれ部の上端側を係合突起と嵌挿凹所との嵌挿によって保持する簡易な構成であっても、着脱操作が容易であり、しかも安価に制作できる。【００１１】  また、背もたれ部の下端側を座席部の後端と背もたれ装着部に形成された段部との間に狭持するだけの操作で背もたれ部を容易に固定することができる。また、背もたれ部の下端側を固定するための固定機構として別個の部品が不要となるので、コストを低減することが可能となる。【００１２】  さらに、背もたれ部の上端側を係合突起と嵌挿凹所との嵌挿により保持した状態で、下端側を背もたれ装着部のフレーム枠との間に設けた固定具によって固定するので、背もたれ部を容易に着脱することが可能となる。
【図面の簡単な説明】
【００１３】
【図１】  本考案に関わる椅子を示す分解斜視図である。
【図２】  座席部及び背もたれ部を装着した状態を示す断面図である。
【図３】  座席部を固定するロック体の実施例を示す正面図である。
【図４】  （Ａ）（Ｂ）は、係合突起を示す斜視図である。
【図５】  （Ａ）（Ｂ）は、背もたれ部の上端側を装着する工程を示す説明図である。
【図６】  背もたれ部の下端側を装着する状態を示す説明図である。
【図７】  （Ａ）（Ｂ）（Ｃ）は、背もたれ部の下端側を装着する固定機構の他の実施例を示す説明図である。
【考案を実施するための形態】
【００１４】  本考案による椅子は、椅子本体に座席部及び背もたれ部を保持する座席装着部及び背もたれ装着部が形成され、前記座席部と前記背もたれ部を前記座席装着部及び前記背もたれ装着部に着脱可能に保持した椅子であって、前記背もたれ装着部のフレーム枠の内周縁に形成した段部には、前記背もたれ部の外周縁を落とし込み状に嵌合して装着されるとともに、前記座席装着部のフレーム枠の内周縁に形成した段部には、前記座席部の外縁側を落とし込み状に嵌合して装着され、前記背もたれ部の上端側と前記フレーム枠の内周縁のいずれか一方には係合突起が設けられ、他方には前記係合突起に対応する位置に嵌挿凹所が形成され、この嵌挿凹所に前記係合突起を嵌挿することにより前記背もたれ部の上端側が保持され、前記背もたれ部の下端側は固定機構によって前記フレーム枠の段部に装着されるように構成している。
【００１５】  以下、図面に基づいて本考案の実施例を詳細に説明する。図１に示す椅子本体１は、座席装着部２及び背もたれ装着部３と、２本の前脚部４と２本の後脚部５とを備えている。座席装着部２は前脚部４及び後脚部５によって支持され、背もたれ装着部３は後脚部５によって支持されている。座席装着部２は略四角形のフレーム枠２ａが形成され、このフレーム枠２ａの内方は上下方向に貫通している。さらに、フレーム枠２ａの内周縁には段部２ｂが形成されていて、図２に示すように、座席部６の周囲に設けられた枠体６ａの外周縁を落とし込み状に嵌合することにより当接させる。一方、背もたれ装着部３には、フレーム枠３ａが形成され、フレーム枠３ａの内側は前後に透過している。さらに、フレーム枠３ａの内周縁には段部３ｂが形成され、背もたれ部７の枠体７ａを当接させるようにして落とし込み状に嵌合して装着される。
【００１６】  背もたれ装着部３に装着する背もたれ部７は、枠体７ａと、この枠体７ａの内側にクッション体８によって構成されている。さらに、枠体７ａやクッション体８を被覆するように布９が張られている。この布９は、フレーム枠３ａの裏面側も覆っている。
【００１７】  座席装着部２に落とし込み状に嵌合された座席部６は、図３に示すように、ロック体３０によって固定される。ロック体３０は、金属板やプラスチック板によって略Ｌ字状に形成され、基端側が座席装着部２のフレーム枠２ａに固定された支点部３１によって回動自在に支持されている。この支点部３１は、例えば丸木ねじを使用することができる。ロック体３０のロック部３０ａは、先端側を略Ｌ字状に屈曲形成することにより形成され、内面は支点部３１を中心とした円弧状に形成されている。なお、ロック体３０の側面には、把持部３０ｂが一体に屈曲形成されていて、ロック体３０の回動操作を行うときに把持部３０ｂを掴むことができる。また、座席部６の枠体６ａには、例えば丸木ねじからなる係合部３２が固定されている。
【００１８】  座席部６を連結するときは、ロック体３０を半時計方向に回動させ、座席部６の枠体６ａの係合部３２にロック部３０ｂを屈曲部分まで押し込むことにより、丸木ねじの頭部にロックされて座席装着部２と座席部６が連結される。このように、ロック体３０の回動操作によって、座席部６を座席装着部２に対して連結または解除を行うことができ、容易に座席部６を着脱することが可能となる。なお、座席部６と座席装着部２との連結手段は、図３に示す実施例に限定されるものではなく、他の連結手段に変更しても良い。
【００１９】  一方、背もたれ部７の上端側には、図１及び図２に示すように、枠体７ａに係合突起１０が設けられている。また、係合突起１０に対応するフレーム枠３ａの位置には、嵌挿凹所２０が形成されている。係合突起１０は、図４（Ａ）に示すように、例えば方形の金属板によって形成され、下方を枠体７ａにビス１１によって固定され、上方を枠体７ａより突出させている。この係合突起１０としては、図４（Ｂ）に示すように、円柱状のピンを枠体３ａに埋設させ、上方を枠体７ａより突出させるようにしても良い。また、係合突起１０は、図１に示すように左右の２個所の他、１個所または３個所などの複数個所に設けても良い。
【００２０】  次に、背もたれ部７の装着手順について説明する。まず、図５（Ａ）に示すように、背もたれ部７の上端側に設けられている係合突起１０の上方を、矢示のように、やや回転させながら持ち上げてフレーム枠３ａに形成された嵌挿凹所２０に嵌挿する。この状態から背もたれ部７を背もたれ装着部３のフレーム枠３ａの内周縁に形成した段部３ｂに背もたれ部７を当接させるまで落とし込み状に嵌合することによって装着される。これにより、図５（Ｂ）に示すように、背もたれ部７の上端側が背もたれ装着部３に保持される。
【００２１】  このように、背もたれ部７の上端側を背もたれ装着部３に保持した後、背もたれ部７の下端側を座席部６によって保持する。図２に示すように、座席装着部２に座席部６を嵌合したとき、座席装着部２の図示右方の後方側には隙間Ｇが形成されている。そして、図５（Ｂ）に示すように、背もたれ部７を背もたれ装着部３に保持した後、図６に示すように、座席部６の後端を背もたれ部７の下端側に当接して矢示Ａの方向に押圧した状態で、座席部６の前端を矢示Ｂの方向に回動しながら下降させて座席装着部２に落とし込み状に嵌合する。これにより、座席部６はフレーム枠２ａの内周縁に嵌合して装着され、背もたれ部７の下端側は座席部６の後端と背もたれ装着部３に形成された段部３ｂとの間に狭持されて固定される。この結果、図２に示す矢示Ｐの方向から押圧しても、背もたれ部７は上端側の係合突起１０と、下端側の座席部６によって固定されるので、背もたれ装着部３のフレーム枠３ａから離脱することが阻止される。
【００２２】  また、背もたれ部７を背もたれ装着部３から離脱する場合は、上述した装着手順と逆となるように、まず、座席部６を座席装着部２から離脱する。この状態では背もたれ部７の下端側が自由状態となっているので、下端側を背もたれ装着部３から離した後、背もたれ部７を回転させながら下方に下げる。この状態では、背もたれ部７の上端側の係合突起１０が嵌挿凹所２０から離脱するので、背もたれ部７を離脱することができる。
【００２３】  図７は、背もたれ部７の下端側を固定する固定機構の他の実施例を示している。この実施例は、背もたれ部７の下端側と座席部６が離間している椅子に適用される。背もたれ部７の下端側には、固定具４０が取り付けられている。固定具４０は、弾性を有する金属板または合成樹脂板によって側面形状が略Ｌ字状に形成され、先端には略Ｌ字状に屈曲させた係止部４０ａが形成されている。そして、固定具４０の基端側は、背もたれ部７にビス等によって取り付けられている。
【００２４】  そして、前述した実施例と同様に、背もたれ部７の上端側に設けられている係合突起１０の上方をフレーム枠３ａに形成された嵌挿凹所２０に嵌挿した後、この状態から背もたれ部７をフレーム枠３ａの方向に押圧する。このとき、固定具４０の先端を持ち上げることにより、図７（Ｂ）に示すように、先端側が弾性変形してフレーム枠３ａの内周面に乗せられる。この状態のままで更に背もたれ部７を押圧すると、やがて、図７（Ｃ）に示すように、固定具４０の先端が弾性復帰してフレーム枠３ａの背面に落とし込まれて係止され、これにより、背もたれ部７を背もたれ装着部３に装着することができる。一方、背もたれ部７を背もたれ装着部３から離脱する場合には、固定具４０の先端を持ち上げながら背もたれ部７の下端側をフレーム枠３ａから離しながら、背もたれ部７の上端側の係合突起１０が嵌挿凹所２０から離脱させることによって、背もたれ部７を離脱することができる。
【００２５】  以上、本発明を実施例に基づき具体的に説明したが、本発明は上記実施例に限定されるものではなく、その要旨を逸脱しない範囲で種々変形可能であることは言うまでもない。前述した実施例において、背もたれ部は、四角形や楕円形或いは多角形にしても良い。また、第２の実施例として例示した固定機構としての固定具は、ベルトの一端を背もたれ部の取り付けたボタンスナップによって背もたれ装着部３に連結させても良い。
【符号の説明】
【００２６】  １    椅子本体
２    座席装着部
２ａ  フレーム枠
２ｂ  段部
３    背もたれ装着部
３ａ  フレーム枠
３ｂ  段部
６    座席部
６ａ  枠体
７    背もたれ部
７ａ  枠体
８    クッション体
１０  係合突起
２０  嵌挿凹所
４０  固定具（固定機構）
【図１】
0003204760.tif 000003
【図２】
0003204760.tif 000004
【図３】
0003204760.tif 000005
【図４】
0003204760.tif 000006
【図５】
0003204760.tif 000007
【図６】
0003204760.tif 000008
【図７】
0003204760.tif 000009